(57)【要約】  計測範囲周辺部位の視認性を良好に保ちつつ、計測結果を表示させることを目的とする。画像表示装置は、医用画像上の計測範囲を示す範囲カーソル８１と、範囲カーソル８１を固有に識別する識別情報を含む識別ラベル８３と、識別情報及び計測結果を含む結果ラベル８２と、を生成し、画面に表示するための制御を行なうカーソル処理部と、範囲カーソルの設定及び結果ラベルの移動操作を受け付ける操作部を備える。範囲カーソル８１を設定すると、結果ラベル８２を連結して表示する。その後、結果ラベル８２を移動する操作を行なうと、範囲カーソル８１から分離して移動可能にするとともに、結果ラベル８２に代わり識別ラベル８３を範囲カーソル８１に連結表示する。
2014034294.tif 000002
【特許請求の範囲】
【請求項１】
表示装置の画面に表示された医用画像上において、計測範囲を指定する操作を受け付ける第一操作部と、
前記計測範囲の物理量を計測する計測部と、
前記計測範囲を示す範囲カーソル、当該範囲カーソルを固有に識別する識別情報を含む識別ラベル、及び、前記識別情報と前記計測部の計測結果とを含む結果ラベルを生成し、前記画面に表示するための制御を行なうカーソル処理部と、
前記結果ラベルの移動操作を受け付ける第二操作部と、
を備え、
前記カーソル処理部は、前記第一操作部が前記計測範囲の指定を受け付けた場合に、前記範囲カーソルを表示し、前記計測部による計測が終了した場合に前記範囲カーソルの一端点に前記結果ラベルを連結して表示し、前記第二操作部が前記結果ラベルの移動操作を受け付けた場合に、その移動操作に追従して前記結果ラベルを前記範囲カーソルから分離して表示するとともに、前記結果ラベルが連結されていた前記範囲カーソルの一端点に前記識別ラベルを表示する、
ことを特徴とする画像表示装置。
【請求項２】
前記カーソル処理部は、前記計測範囲の端点を指示する端点カーソルを更に表示し、
前記第一操作部は、前記端点カーソルの移動操作を介して前記計測範囲を指定する、
ことを特徴とする請求項１に記載の画像表示装置。
【請求項３】
前記第一操作部は、前記計測範囲の始点位置及び終点位置を指定する操作を受け付け、
前記カーソル処理部は、前記第一操作部が、前記計測範囲の始点位置の指定操作を受け付けた場合に、始点位置に合わせて前記端点カーソルを表示し、
前記第一操作部が、前記始点位置から前記終点位置までの領域の指定操作を受け付けている間は、前記始点位置に合わせて表示された端点カーソルを非表示にするとともに、前記始点位置から前記終点位置までの領域を示す範囲カーソルを表示し、
前記第一操作部が、前記計測範囲の終点位置の指定操作を受け付けた場合に、前記範囲カーソルの両端点のそれぞれを指示する二つの前記端点カーソルを表示する、
ことを特徴とする請求項２に記載の画像表示装置。
【請求項４】
前記端点カーソルは、前記第一操作部による移動操作を行なう際の指示点となる面領域部及び当該面領域部から突出した突起部を備え、
前記カーソル処理部は、線分状の前記範囲カーソルと、その範囲カーソルの両端点のそれぞれに連結された二つ前記端点カーソルと、を表示し、それぞれの前記端点カーソルは、前記突起部において前記範囲カーソルに連結され、それぞれの前記端点カーソルの前記面領域部は、前記突起部を基準として前記範囲カーソルの反対側、かつ前記面領域部の中心線が前記範囲カーソルと同一直線上に並ぶ位置に配置される、
ことを特徴とする請求項３に記載の画像表示装置。
【請求項５】
前記カーソル処理部は、線分状かつ両端部を矢印形状に構成した前記範囲カーソルと、その範囲カーソルの両端点のそれぞれの周辺部に、各端点から分離して配置された前記端点カーソルと、を表示する、
ことを特徴とする請求項３に記載の画像表示装置。
【請求項６】
前記カーソル処理部は、前記範囲カーソルの各端点に、前記線分状の範囲カーソルの軸方向に対して垂直なガイド線を付加して表示する、
ことを特徴とする請求項４又は５に記載の画像表示装置。
【請求項７】
前記第一操作部は、前記範囲カーソルに前記結果ラベルが連結された確定モードと、前記範囲カーソル及び前記端点カーソルが表示された編集モードと、の切替操作を更に受け付け、
前記カーソル処理部は、前記範囲カーソルの端点から所定の領域にある前記範囲カーソル上の領域を、前記切替操作の対象として選択することを禁止する選択禁止領域に設定する、
ことを特徴とする請求項２乃至６の何れか一つに記載の画像表示装置。
【請求項８】
前記範囲カーソルから分離された前記結果ラベルを、所定の整列条件に従って整列する整列部を更に備え、
前記カーソル処理部は、前記整列後の結果ラベルを表示する、
ことを特徴とする請求項１乃至７の何れか一つに記載の画像表示装置。
【請求項９】
前記カーソル処理部は、前記整列後の複数の前記結果ラベルを収容したラベルボックスを生成し、
前記カーソル処理部は、前記第二操作部が前記ラベルボックス内の任意の結果ラベルの選択及び移動操作を受け付けた場合に、前記選択された結果ラベルを境界として前記ラベルボックスを複数の分割ラベルボックスに分割し、前記選択された結果ラベルを含む分割ラベルボックスを、前記移動操作に追従して移動表示する、
ことを特徴とする請求項８に記載の画像表示装置。
【請求項１０】
前記医用画像のうち、被検体が撮影されていない被検体外領域を検出する被検体外領域検出部を更に備え、
前記カーソル処理部は、前記整列後の結果ラベルを、前記被検体外領域に表示する、
ことを特徴とする請求項８に記載の画像表示装置。
【請求項１１】
前記カーソル処理部は、計測モードの種類に応じて、表示するカーソルの種類、形状を変化させることを特徴とする請求項１に記載の画像表示装置。
【請求項１２】
前記カーソル処理部は、前記範囲カーソルの各端点に、前記計測モードを選択するためのメニューをポップアップ表示させる、
ことを特徴とする請求項１１に記載の画像表示装置。
【請求項１３】
前記カーソル処理部は、前記医用画像を撮影した撮影手技に応じて、前記計測モードを選択することを特徴とする請求項１１に記載の画像表示装置。
【請求項１４】
表示装置の画面に表示された医用画像上において、計測範囲を指定する操作を受け付ける操作部と、
前記計測範囲の物理量を計測する計測部と、
前記計測範囲を示す範囲カーソル、及び、前記計測範囲の端点を指示する端点カーソルを生成し、前記画面に表示するための制御を行なうカーソル処理部と、を備え、
前記操作部は、前記計測範囲の始点位置及び終点位置を指定する操作を受け付け、
前記カーソル処理部は、前記操作部が、前記計測範囲の始点位置の指定操作を受け付けた場合に、始点位置に合わせて前記端点カーソルを表示し、
前記操作部が、前記始点位置から前記終点位置までの領域の指定操作を受け付けている間は、前記始点位置に合わせて表示された端点カーソルを非表示にするとともに、前記始点位置から前記終点位置までの領域を示す範囲カーソルを表示し、
前記操作部が、前記計測範囲の終点位置の指定操作を受け付けた場合に、前記範囲カーソルの両端点のそれぞれを指示する二つの前記端点カーソルを表示する、ことを特徴とする画像表示装置。
【請求項１５】
請求項１乃至１４の何れか一つに記載の画像表示装置と、
被検体を撮像して画像信号を取得する撮像部と、を備え、
前記画像表示装置は、前記画像信号を基に前記被検体が撮像された医用画像を生成する画像生成部を更に含む、
ことを特徴とする医用画像撮像装置。
【請求項１６】
前記カーソル処理部は、前記撮像部から撮影手技情報を取得し、その撮影手技情報に応じた形状の前記範囲カーソルを表示する、
ことを特徴とする請求項１５に記載の医用画像撮像装置。
【発明の詳細な説明】
【技術分野】
【０００１】
本発明は、画像表示装置及び医用画像撮像装置に係り、特に医用画像上における計測技術に関する。
【背景技術】
【０００２】
特許文献１には、医用画像上で２点を設定し、その２点間の芯線に沿った方向の距離を計測する解析処理装置が開示されている。
【先行技術文献】
【特許文献】
【０００３】
【特許文献１】特開２００４−２８３３７２号公報
【発明の概要】
【発明が解決しようとする課題】
【０００４】
医用画像上で距離を計測した場合、その計測結果の表示位置が離れすぎてしまうと計測結果の確認がしづらくなる一方、計測結果の表示が計測範囲に重なると、計測範囲周辺部位の視認性が低下するという問題があった。【０００５】
本発明の目的は、計測範囲周辺部位の視認性を良好に保ちつつ、計測結果を表示させることを目的とする。
【課題を解決するための手段】
【０００６】
上記課題を解決するために、本発明の画像表示装置は、表示装置の画面に表示された医用画像上において、計測範囲を指定する操作を受け付ける第一操作部と、前記計測範囲の物理量を計測する計測部と、前記計測範囲を示す範囲カーソル、当該範囲カーソルを固有に識別する識別情報を含む識別ラベル、及び、前記識別情報と前記計測部による計測結果とを含む結果ラベルを生成し、前記画面に表示するための制御を行なうカーソル処理部と、前記結果ラベルの移動操作を受け付ける第二操作部と、を備え、前記カーソル処理部は、前記第一操作部が前記計測範囲の指定を受け付けた場合に、前記範囲カーソルを表示し、前記計測部による計測が終了した場合に、前記範囲カーソルの一端点に前記結果ラベルを連結して表示し、前記第二操作部が前記結果ラベルの移動操作を受け付けた場合に、その移動操作に追従して、前記結果ラベルを前記範囲カーソルから分離して表示するとともに、前記結果ラベルが連結されていた前記範囲カーソルの一端点に前記識別ラベルを表示する、ことを特徴とする。
【発明の効果】
【０００７】
本発明によれば、計測範囲周辺部位の視認性を良好に保ちつつ、計測結果を表示させることができる。
【図面の簡単な説明】
【０００８】
【図１】本実施形態に係る医用画像撮像装置の機能ブロック図
【図２】範囲カーソルの設定に関する処理の流れを示すフローチャート
【図３】範囲カーソルの設定処理において表示される画面遷移例を示す説明図であって、（ａ）は、ステップＳ１０１の画面表示例を示し、（ｂ）は、ステップＳ１０２の画面表示例を示し、（ｃ）は、ステップＳ１０２の画面表示例を示し、（ｄ）は、ステップＳ１０３の画面表示例を示し、（ｅ）は、ステップＳ１０３の画面表示例を示し、（ｆ）は、ステップＳ１０４の画面表示例を示す。
【図４】結果ラベル及び識別ラベルの構成を示す説明図であって、（ａ）は、結果ラベルの構成を示し、（ｂ）は、識別ラベルの構成を示す。
【図５】範囲カーソル情報の構成例を示す説明図
【図６】識別ラベルの整列処理を示す説明図であって、（ａ）は、切り離された結果ラベルの整列表示例を示し、（ｂ）は、ラベルボックスを用いた整列表示例を示す。
【図７】ラベルボックスの切り離し処理を示す説明図であって、（ａ）は、ラベルボックス内の最上段に位置する結果ラベルを指定した状態を示し、（ｂ）は、ラベルボックス内の上から２段目に位置する結果ラベルを指定した状態を示す。
【図８】医用画像の被検体外領域を示す説明図であって、（ａ）は、超音波画像の視野外領域を示し、（ｂ）は、Ｘ線ＣＴ画像の空気領域を示し、（ｃ）は、Ｘ線画像の直接線領域及び絞り領域を示す。
【図９】範囲カーソルの他の例を示す説明図であって、（ａ）は、角度を計測する範囲カーソルを示し、（ｂ）は、面積を計測する範囲カーソルを示す。
【図１０】端点カーソルが連結された範囲カーソルの構成を示す説明図であって、（ａ）は、端点カーソルの一例を示し、（ｂ）は、範囲カーソルの両端点に端点カーソルが連結された状態を示す。
【図１１】端点カーソルを用いた範囲カーソルの入力及び編集処理の流れを示すフローチャート
【図１２】端点カーソルを用いた範囲カーソルの入力及び編集処理の流れに沿った画面遷移例を示す説明図であって、（ａ）は、ステップＳ２０１の画面表示例を示し、（ｂ）は、ステップＳ２０３の画面表示例を示し、（ｃ）は、ステップＳ２０４の画面表示例を示し、（ｄ）は、ステップＳ２０５の画面表示例を示し、（ｅ）は、ステップＳ２０７の画面表示例を示し、（ｆ）は、ステップＳ２０８の画面表示例を示す。
【図１３】端点カーソルを用いて範囲カーソルの端点の位置を変更する処理を示す説明図であって、（ａ）は、変更前の状態を示し、（ｂ）は、変更後の状態を示す。
【図１４】最短距離計測モードで用いる範囲カーソルの構成を示す説明図
【図１５】内側計測モードの範囲カーソル及び端点カーソルの構成を示す説明図であって、（ａ）は内側計測モードの端点カーソルの構成例を示し、（ｂ）は、外側計測用モードの範囲カーソル及び端点カーソルを用いた比較例を示す。
【図１６】内側計測ラインを用いた最短距離計測モードの範囲カーソルを示す説明図
【図１７】計測モードの切替処理の例を示す説明図
【図１８】選択禁止領域を示す説明図
【発明を実施するための形態】
【０００９】
本実施形態に係る画像表示装置は、表示装置の画面に表示された医用画像上において、計測範囲を指定する操作を受け付ける第一操作部と、前記計測範囲の物理量を計測する計測部と、前記計測範囲を示す範囲カーソル、当該範囲カーソルを固有に識別する識別情報を含む識別ラベル、及び、前記識別情報と前記計測部による計測結果とを含む結果ラベルを生成し、前記画面に表示するための制御を行なうカーソル処理部と、前記結果ラベルの移動操作を受け付ける第二操作部と、を備え、前記カーソル処理部は、前記第一操作部が前記計測範囲の指定を受け付けた場合に、前記範囲カーソルを表示し、前記計測部による計測が終了した場合に前記範囲カーソルの一端点に前記結果ラベルを連結して表示し、前記第二操作部が前記結果ラベルの移動操作を受け付けた場合に、その移動操作に追従して前記結果ラベルを前記範囲カーソルから分離して表示するとともに、前記結果ラベルが連結されていた前記範囲カーソルの一端点に前記識別ラベルを表示する、ことを特徴とする。
【００１０】
また、本発明に係る医用画像撮像装置は、上記画像表示装置と、被検体を撮像して画像信号を取得する撮像部と、を備え、前記画像表示装置は、前記画像信号を基に前記被検体が撮像された医用画像を生成する画像生成部を更に含む。
【００１１】
以下、図面を参照し、上記画像表示装置を医用画像装置に搭載した実施形態の詳細について説明する。
【００１２】
図１は、本実施形態に係る医用画像撮像装置の機能ブロック図である。図１に示すように、医用画像撮像装置１は、ＬＡＮなどの院内ネットワーク２に通信接続される。また、院内ネットワーク２には、医用画像を格納するＰＡＣＳ（Picture  Archiving  and  Communication  Systems)サーバなどの画像データベース（以下「画像ＤＢ」と略記する）３及び画像ＤＢ３から医用画像を読み出して表示する端末装置４が接続される。
【００１３】
医用画像撮像装置１は、被検体を撮像して画像データを生成する撮像部と本発明に係る画像表示装置とを有するものであれば良く、例えば、Ｘ線画像診断装置、Ｘ線ＣＴ装置、ＭＲＩ装置、超音波診断装置、ＰＥＴ装置等、医用画像撮像装置の種別は問わない。また、本発明に係る画像表示装置を、医用画像撮像装置に搭載することなく、上記端末装置４やネットワークに接続していない、いわゆるスタンドアローン状態の画像表示装置などに適用してもよい。
【００１４】
医用画像撮像装置１は、被検体を撮像して画像信号を取得する撮像部１０と、画像信号を基に被検体が撮像された医用画像を生成し、その医用画像上で計測処理を行う画像表示装置２０と、を備える。画像表示装置２０は、医用画像の生成・表示に関する動作制御を行なう制御部３０と、医用画像を表示する表示部４０と、操作者が入力指示を行なうための操作部５０と、を含む。
【００１５】
撮像部１０は、被検体の画像信号を取得するものであり、例えばＸ線画像診断装置であれば、Ｘ線を発生するＸ線発生装置と、被検体を透過した透過Ｘ線を検出し、その強度に応じた電気信号を出力するためのＸ線検出器と、これらの動作制御を行なう撮像部制御装置と、が含まれる。また、Ｘ線ＣＴ装置であれば、Ｘ線管及びＸ線検出器を搭載して回転するガントリが含まれる。また、超音波診断装置であれば、超音波の送受信に必要なプローブ及び超音波送受信部を含む。更にＭＲＩ装置であれば、ＮＭＲ信号の受信に必要な磁場コイルやパルスシーケンスの発生器等が含まれる。
【００１６】
制御部３０は、撮像部１０が生成した画像データを基に、被検体の医用画像を生成、又は医用画像の再構成処理を行う画像生成部３１と、生成された医用画像を記憶する画像記憶部３２と、表示部４０に表示するための医用画像を選択し、その表示制御を行なう画像選択・表示制御部３３と、計測範囲を示す範囲カーソル、その範囲カーソルを固有に識別する識別情報及び計測結果を含む結果ラベル、上記識別情報を含む識別ラベル、計測範囲の端点を示す端点カーソル、範囲カーソルとともに表示する垂直ガイド線、結果ラベルを一つにまとめたラベルボックス、及びマウスカーソルの生成、表示制御を行なうカーソル処理部３４と、カーソル情報を記憶するカーソル情報記憶部３５と、結果ラベルを整列・表示する整列部３６と、医用画像のうち被検体が撮影されていない領域（以下「被検体外領域」という）を検出する被検体外領域検出部３７と、医用画像上で指定された計測範囲を特徴付ける予め定めた物理量（距離、角度、面積など）を計測する計測部３８と、院内ネットワーク２に接続するための通信インターフェース（以下「通信Ｉ／Ｆ」という）３９と、を含む。制御部３０は、制御部３０内の各構成要素の機能を実現するためのソフトウェアと、演算・制御装置及び記憶装置を含むハードウェアと、の組合せにより構成される。
【００１７】
表示部４０は、表示用データを一時的に保存する表示用メモリや、液晶モニタ、ＣＲＴ、有機ＥＬパネルからなる表示装置を含んで構成される。
【００１８】
操作部５０は、表示部４０の画面に表示された医用画像の任意の座標を選択・指定するためのポインティングデバイスやキーボード、また、画面上に表示されたソフトボタンなど、任意の操作デバイスを含む。ポインティングデバイスは、マウス、トラックボール、表示装置の画面に積層又は間層されたタッチパネルなど、任意のものを用いることができる。
【００１９】
次に、医用画像上に計測範囲を指定して物理量を計測し、計測結果を表示する処理の実施形態、主としてカーソル処理部の処理の実施形態について説明する。
【００２０】
＜第一実施形態＞
本実施形態は、カーソル処理部３４が、操作部５０（第一操作部）で計測範囲の指定を受け付けた場合に、範囲カーソルを表示し、計測部３８による計測が終了した場合に範囲カーソルの一端点に結果ラベルを連結して表示し、操作部（第二操作部）で結果ラベルの移動操作を受け付けた場合に、その移動操作に追従して結果ラベルを範囲カーソルから分離して表示するとともに、結果ラベルが連結されていた範囲カーソルの一端点に識別ラベルを表示する、という基本動作に加えて、整列部３６が、範囲カーソルから分離された結果ラベルを、所定の整列条件に従って整列する、ことが特徴である。
【００２１】
カーソル処理部３４は、整列後の結果ラベルを表示する。或いは、カーソル処理部３４は、整列後の複数の結果ラベルを収容したラベルボックスを生成し、表示する。この場合、カーソル処理部３４は、操作部（第二操作部）がラベルボックス内の任意の結果ラベルの選択及び移動操作を受け付けた場合に、選択された結果ラベルを境界としてラベルボックスを複数の分割ラベルボックスに分割し、選択された結果ラベルを含む分割ラベルボックスを、移動操作に追従して移動表示してもよい。
【００２２】
医用画像のうち、被検体が撮影されていない被検体外領域を検出する被検体外領域検出部を更に備える場合には、カーソル処理部３４は、整列後の結果ラベルを、前記被検体外領域に表示してもよい。
【００２３】
以下、図２乃至図９を参照して本実施形態を詳述する。図２は、範囲カーソルの設定に関する処理の流れを示すフローチャートである。図３は、範囲カーソルの設定処理において表示される画面遷移例を示す説明図であって、（ａ）は、ステップＳ１０１の画面表示例を示し、（ｂ）は、ステップＳ１０２の画面表示例を示し、（ｃ）は、ステップＳ１０２の画面表示例を示し、（ｄ）は、ステップＳ１０３の画面表示例を示し、（ｅ）は、ステップＳ１０３の画面表示例を示し、（ｆ）は、ステップＳ１０４の画面表示例を示す。図４は、結果ラベル及び識別ラベルの構成を示す説明図であって、（ａ）は、結果ラベルの構成を示し、（ｂ）は、識別ラベルの構成を示す。図５は、範囲カーソル情報の構成例を示す説明図である。図６は、識別ラベルの整列処理を示す説明図であって、（ａ）は、切り離された結果ラベルの整列表示例を示し、（ｂ）は、ラベルボックスを用いた整列表示例を示す。図７は、ラベルボックスの切り離し処理を示す説明図であって、（ａ）は、ラベルボックス内の最上段に位置する結果ラベルを指定した状態を示し、（ｂ）は、ラベルボックス内の上から２段目に位置する結果ラベルを指定した状態を示す。図８は、医用画像の被検体外領域を示す説明図であって、（ａ）は、超音波画像の視野外領域を示し、（ｂ）は、Ｘ線ＣＴ画像の空気領域を示し、（ｃ）は、Ｘ線画像の直接線領域及び絞り領域を示す。図９は、範囲カーソルの他の例を示す説明図であって、（ａ）は、角度を計測する範囲カーソルを示し、（ｂ）は、面積を計測する範囲カーソルを示す。
【００２４】
以下、図２のステップ順に沿って説明する。図２に示す計測処理の開始前に、撮像部１０により被検体を撮像し、画像信号を取得する。画像生成部３１は、その画像信号を用いて医用画像を生成又は再構成する。生成された医用画像は画像記憶部３２に記憶される。その後、ステップＳ１０１が開始する。
【００２５】
（ステップＳ１０１）
画像選択・表示制御部３３は、表示対象となる医用画像を画像記憶部３２から読み出したり、通信Ｉ／Ｆ３９を介して画像ＤＢ３から取得したりして、表示部４０の画面上に表示する（Ｓ１０１）。図３の（ａ）は、本ステップにおける画面表示例を示す。図３の（ａ）の画面６０ａには、ソフトボタンが表示されるボタン領域６１と、医用画像が表示される画像表示領域６２と、が含まれる。画面６０ａでは、画像表示領域６２に、血管７１が撮像された医用画像７０が表示されている。ボタン領域６１には、計測開始を指示入力するための「計測」ボタン６１ａと、結果ラベルの整列を指示入力するための「整列」ボタン６１ｂと、が含まれる。
【００２６】
（ステップＳ１０２）
表示された医用画像上において、物理量の計測を行う対象となる計測範囲を設定する（Ｓ１０２）。本実施形態では、血管７１の血管幅（距離）を計測する処理を例に挙げて説明する。
【００２７】
操作者が、操作部５０を操作してマウスカーソル８０を「計測」ボタン６１ａに合わせ、マウスクリックなどの操作を行なうと、医用画像７０上で計測範囲の入力が可能となる（図３では、ボタン６１ａを着色して押し下げた状態を示す）。
【００２８】
次いで、操作者は、操作部５０を用いて、計測範囲の一方の端点（以下「始点」という）の入力操作を行なう。この入力操作は、例えばマウスカーソル８０を計測対象の血管壁に合わせてマウスクリックをすることにより行なう。図３の（ｂ）の画面６０ｂは、始点とする位置にマウスカーソル８０を合わせた状態を示す。
【００２９】
この状態で、図３の（ｃ）の画面６０ｃに示すように、マウスカーソル８０を、計測対象範囲に沿ってドラッグし、計測範囲全体を指定する。図３の（ｃ）の一点鎖線は移動方向を示す。計測範囲全体を示すカーソルを範囲カーソルと呼ぶ。画面６０ｃでは、マウスカーソル８０に連続する線分状のカーソルが、範囲カーソル８１に相当する。
【００３０】
続いて、操作者は、計測範囲の終点位置の入力操作、例えば、計測対象のもう一方の血管壁（始点入力した対称位置）に合わせてマウスクリックを行なう。
【００３１】
（ステップＳ１０３）
計測範囲の終点が入力されると、計測部３８は、範囲カーソル８１で指定された計測範囲の距離計測を行い、カーソル処理部３４は、計測結果を含む結果ラベルを生成・表示する（Ｓ１０３）。本実施形態では、操作者が、マウスカーソル８０を終点に移動し、終点位置の入力動作（例えば、マウスクリック）を行なうと、カーソル処理部３４が、その入力動作をトリガーとして、範囲カーソル８１の終点に結果ラベル８２を連結して表示する処理を実行する。図３の（ｄ）の画面６０ｄは、範囲カーソル８１に、結果ラベル８２を連結して表示した状態を示す。なお、計測範囲の終点位置の入力後は、マウスカーソル８０を範囲カーソル８１から独立させ、医用画像７０上の任意の位置に移動することができる。
【００３２】
結果ラベル８２は、図４の（ａ）に示すように、距離、面積、及び角度のうちいずれかの物理量を計測するための範囲カーソルであるかを示す種別アイコン８２ａと、範囲カーソル８１を固有に識別する識別情報８２ｂと、計測の結果得られた結果値８２ｃと、を含む。
【００３３】
ステップＳ１０２からステップＳ１０３までの処理を、血管７１の異なる部位で複数回繰り返すと、各回で設定された範囲カーソル８１及びその端点に連結された結果ラベル８２が表示される。図３の（ｅ）の画面６０ｅは、血管７１の異なる３箇所で、計測した後に表示される画面表示例を示しており、３つの範囲カーソル８１−１、８１−２、８１−３のそれぞれに、結果ラベル８２−１、８２−２、８２−３が連結して表示されている。なお、範囲カーソル８１−１及び結果ラベル８２−１は、画面６０ｄで表示された範囲カーソル８１及び結果ラベル８２と同一のものであるので、同一の識別情報「Ａ」を用いて描出している。
【００３４】
カーソル処理部３４は、結果ラベル８２−１、８２−２、８２−３の表示をするとともに、範囲カーソル８１に関する情報をカーソル情報記憶部３５に記憶する。範囲カーソル情報９０は、図５に示すように、範囲カーソル８１が設定された医用画像を特定するための情報（「医用画像番号」に相当する。）、範囲カーソル８１の種別、範囲カーソルの位置情報（例えば始点及び終点の座標）、範囲カーソル８１の識別情報（「識別名」に相当する。）、計測結果、範囲カーソル８１が設定された時間（「タイムスタンプ」に相当する。）など、範囲カーソル８１に関する情報を、カーソル情報記憶部３５に格納する。
【００３５】
図５では、範囲カーソル８１の識別名を医用画像毎に付しているので、医用画像が異なる場合には、同一の識別名を用いている。また、範囲カーソル８１の始点及び終点の座標は、各医用画像を基準とする絶対座標を示す。範囲カーソル情報９０を格納しておくことにより、範囲カーソル８１を設定した医用画像の表示を終了し、再度医用画像を表示した場合にも、カーソル処理部３４が範囲カーソル情報９０を参照し、前回の表示時に設定された範囲カーソルや結果ラベルなどを表示することができる。
【００３６】
図示を省略するものの、カーソル情報記憶部３５には、範囲カーソル、結果ラベル、識別ラベル、マウスカーソル、また後述する端点カーソルに用いるイメージデータも格納される。
【００３７】
（ステップＳ１０４）
結果ラベル８２を切り離す（Ｓ１０４）。例えば、操作者が切り離し対象となる結果ラベル８２の選択動作（例えばマウスクリック）を行い、その結果ラベルを移動する動作（例えばドラッグ）を行なう。カーソル処理部３４は、結果ラベル８２を範囲カーソル８１の端点から切り離すと同時に、図４の（ｂ）に示すように、種別アイコン８２ａ及び識別情報８２ｂを含み、かつ計測結果を含まない識別ラベル８３を生成する。そして、切り離された結果ラベル８２の代わりに、範囲カーソル８１の端点に識別ラベル８３を連結して表示する。識別ラベル８３の表示位置は、範囲カーソル８１の端点に固定されるが、切り離された結果ラベル８２は、画像表示領域６２の任意の位置に移動させることができる。
【００３８】
図３の（ｆ）の画面６０ｆは、結果ラベル８２−１をマウスカーソル８０でドラッグ（図３の（ｆ）において、移動方向を一点鎖線で示す。）して範囲カーソル８１−１から切り離すとともに、範囲カーソル８１−１の端点に結果ラベル８３−１を連結表示した状態を示す。画面６０ｆでは、結果ラベル８２−１のみが切り離されているが、その他の結果ラベル８２−２、８２−３も、結果ラベル８２−１と同様、切り離して表示することができる。
【００３９】
（ステップＳ１０５）
切り離した結果ラベルを整列表示する（Ｓ１０５）。操作者が、切り離された結果ラベルを整列させるための入力操作（例えば、図６の整列ボタン６１ｂをクリック）を行なうと、整列部３６は、範囲カーソル情報９０を参照し、予め整列部３６に設定された所定の整列条件を参照して、範囲カーソル８１から切り離されている結果ラベル８２を整列し、カーソル処理部３４が整列後の結果ラベル８２を表示する。整列条件として、結果ラベル８２が付与された順序に沿った「時系列順」、「識別名順」（アルファベット順に付す場合には、アルファベット順など）、結果値の昇順又は降順からなる「結果値順」、または結果ラベル８２の「配置順」（座標順）などがある。
【００４０】
本実施形態では、「時系列順」で整列する場合、整列部３６は、範囲カーソル８１のタイムスタンプを結果ラベル８２の設定時刻として代用する。また、上記「配置順」とは、例えば、画面の上から下、左から右など、画面の一方向に沿って走査したときに、範囲カーソル８１に連結された状態の結果ラベル８２のｘ座標又はｙ座標の小さい順又は大きい順に沿って整列することをいう。本実施形態では、結果ラベル８２の座標は、範囲カーソル８１の終点座標を代用する。
【００４１】
整列表示は、切り離したラベルのそれぞれを整列順に表示する態様と、一つの枠内に、切り離されたラベルをまとめて表示する態様と、がある。以下、複数のラベルをまとめて表示した枠を、ラベルボックスという。図６の（ａ）は、前者の例であり、３つの切り離された結果ラベル８２−１、８２−２、８２−３が、個別に、かつ初期のｙ座標に沿った「配置順」により整列表示された状態を示す。また、図６の（ｂ）は、後者の例であり、３つの切り離された結果ラベル８２−１、８２−２、８２−３が、一つのラベルボックス８４の中に収容され、「識別名順」に沿って整列して表示されている。これにより、切り離された結果ラベル８２−１、８２−２、８２−３が散見されることによる視認性の低下を防ぐことができる。
【００４２】
ラベルボックス８４内にある任意の結果ラベルを選択すると、選択された結果ラベル、及びそれよりも下に整列表示された結果ラベルを含む分割ラベルボックスと、選択された結果ラベルよりも上に並んだ結果ラベルを含む分割ラベルボックスと、にラベルボックスを分割することができる。すなわち、選択された結果ラベルの位置で、ラベルボックス８４を分割することができる。
【００４３】
例えば図７の（ａ）では、結果ラベル８２−１を選択し、移動した状態を示す。この場合、結果ラベル８２−１以下のラベルボックス８４（本例ではラベルボックス８４全体に相当する）をまとめて移動させることができる。
【００４４】
また、図７の（ｂ）では、結果ラベル８２−２を選択し、移動した状態を示す。この場合、ラベルボックス８４は、結果ラベル８２−２以下の分割ラベルボックス８４ｂと、結果ラベル８２−２よりも上側に位置する分割ラベルボックス８４ａ（結果ラベル８２−１のみが含まれたラベルボックス）と、に分けられ、分割ラベルボックス８４ｂだけを移動させることができる。これらラベルボックス８４の生成、表示、分割処理は、カーソル処理部３４により実行される。ラベルボックス８４に収容することで、結果ラベル８２−１、８２−２、８２−３をまとめて視認することができ、また、所望するラベルを纏めて移動することができ、操作性が向上する。例えば、血管が分岐する場合に、各分岐枝に設定された結果ラベルを纏めて表示することができ、操作者の好みに合った結果ラベル及びラベルボックスの表示が行なえる。
【００４５】
整列した結果ラベル８２−１、８２−２、８２−３やラベルボックス８４の表示位置は、予め定められた画面上の領域に表示されるように構成しても良い。例えば、画面左上に表示するように定めておいても良い。また、整列した結果ラベル８２−１、８２−２、８２−３やラベルボックス８４が診断の妨げにならないように、医用画像において被検体が撮影されていない領域（以下「被検体外領域」という）に整列したラベルを表示するように構成しても良い。図８に被検体外領域の例を示す。超音波画像１００では、超音波画像１００のうち視野領域１０３を除く視野外領域１０１（図８の（ａ）参照）、Ｘ線ＣＴ画像１１０では、被検体領域１１３の周囲に位置する空気のみが撮影された空気領域１１１（図８の（ｂ）参照）、Ｘ線画像１２０では、Ｘ線絞りが写りこんだ絞り領域１２１及び被検体領域１２３の周辺に位置する、直接線が入射した直接線領域１２２（図８の（ｃ）参照）が、被検体外領域となる。これらの被検体外領域の検出は、被検体外領域検出部３７が、医用画像の画素値（濃度値）を基に算出してもよい。また、絞り領域１２１の検出には、Ｘ線装置にＸ線絞りの位置を検出するための位置検出部、例えばエンコーダを搭載し、被検体外領域検出部３７がエンコーダからの出力信号を基に、医用画像上における絞り領域の座標を算出して絞り領域１２１を検出しても良い。なお、図８の（ａ）、（ｂ）、（ｃ）では、ラベルボックス８４を被検体外領域に表示した例を示すが、ラベルボックス８４に代えて、整列した結果ラベルを配置しても良い。
【００４６】
被検体外領域を検出する態様では、カーソル処理部３４は、被検体外領域検出部３７から医用画像上における被検体外領域の座標を取得し、その座標を画面上の座標に変換する。そして、画面上における被検体外領域に、整列した結果ラベルを整列表示する。
【００４７】
本実施形態によれば、結果ラベルを計測範囲から切り離して表示することにより、計測範囲周辺部位の視認性を向上させることができる。更に、結果ラベルを切り離した場合に、計測結果を示す範囲カーソルに識別ラベルが固定されて表示されるので、識別ラベル内の識別情報と結果ラベル内の識別情報との対応関係が明瞭になり、結果ラベルの結果値が、どの部位の範囲カーソルの計測結果を示しているかを把握しやすくなる。
【００４８】
更に、切り離された結果ラベルは、所定のルールに沿って整列表示することができるので、結果ラベルの視認性が向上する。また、整列表示する場合に、被検体外領域に表示することにより、結果ラベルが診断部位に重なって表示されることで医用画像の診断能を妨げるといった不具合を回避できる。
【００４９】
上記実施形態では、線分状の範囲カーソルを例に挙げて説明したが、計測範囲が角度や面積の場合には、計測角度を示す複数の線分や、計測範囲を示す面状の範囲カーソルを用いても良い。この場合にも、範囲カーソルを入力したときの終点に結果ラベルを付けて表示し、上記と同様の処理が行える。例えば、図９の（ａ）に示すように、被検体の脊椎１３１を撮像した医用画像１３０において、脊椎１３１の角度を計測する範囲カーソル８１α及び範囲カーソル８１βを設定し、範囲カーソル８１α及び範囲カーソル８１βの開き角を計測範囲として、その開き角の角度を計測し、その計測結果を結果ラベル８２αに含んで表示してもよい。図９の（ａ）は、結果ラベル８２αが範囲カーソル８１βの終点から切り離され、範囲カーソル８１α及び８１βの端点に識別ラベル８３α、８３βが表示された状態を示す。角度計測のように、範囲カーソル８１α、範囲カーソル８１βの一方の端点同士を重ねて頂点を形成する場合には、識別ラベル及び結果ラベルを終点ではなく、線分状の範囲カーソルにおける開放端に連結するように構成してもよい。またこの例では、角度計測の場合に端点を重ねると記述したが、２つ以上の範囲カーソルの交点からも角度計測が行えることは言うまでも無い。
【００５０】
また、図９の（ｂ）に示すように、被検体の四肢、例えば腕１４１を撮像した可視画像１４０上で、火傷などの受傷部位１４２の面積を計測する範囲カーソル８１γに結果ラベル８２γを付して表示してもよい。面積を計測するための範囲カーソルでは、計測範囲を閉領域として定義するので、始点及び終点が一致する。そこで、カーソル処理部３４は、始点及び終点が一致した位置に結果ラベル８２γや識別ラベル（図示を省略）を連結表示しても良い。また、３次元画像上において３次元の計測範囲を設定し、その計測範囲内の体積を計測し、表示しても良い。
【００５１】
＜第二実施形態＞
本実施形態は、カーソル処理部３４が、操作部５０（第一操作部）で計測範囲の指定を受け付けた場合に、範囲カーソルを表示し、前記計測部による計測が終了した場合に前記範囲カーソルの一端点に前記結果ラベルを連結して表示するという基本動作に加えて、計測範囲の端点を指示する端点カーソルを更に表示することが特徴である。
【００５２】
第一実施形態で説明したように、範囲カーソルを用いて計測範囲を設定する場合、端点（始点及び終点）位置を入力する。しかし、これらが正確に入力できないと計測範囲が正しく指定できない。そこで、範囲カーソルの端点を明確にするために、範囲カーソルに端点を明瞭に示すための端点カーソルを併用する。この場合、操作部５０（第一操作部）は、端点カーソルの移動操作を介して計測範囲を指定してもよい。
【００５３】
操作部（第一操作部）５０は、計測範囲の始点位置及び終点位置を指定する操作を受け付けることができる。この場合、カーソル処理部３４は、第一操作部が、計測範囲の始点位置の指定操作を受け付けた場合に、始点位置に合わせて端点カーソルを表示し、第一操作部が、始点位置から終点位置までの領域の指定操作を受け付けている間は、始点位置に合わせて表示された端点カーソルを非表示にするとともに、始点位置から終点位置までの領域を示す範囲カーソルを表示し、第一操作部が、計測範囲の終点位置の指定操作を受け付けた場合に、範囲カーソルの両端点のそれぞれを指示する二つの端点カーソルを表示してもよい。
【００５４】
端点カーソルは、例えば、第一操作部による移動操作を行なう際の指示点となる面領域部及び当該面領域部から突出した突起部を備えたものとすることができる。この場合、カーソル処理部３４は、線分状の範囲カーソルと、その範囲カーソルの両端点のそれぞれに連結された二つの端点カーソルと、を表示し、それぞれの端点カーソルは突起部において範囲カーソルに連結され、それぞれの端点カーソルの面領域部は、突起部を基準として範囲カーソルの反対側、かつ面領域部の中心線が範囲カーソルと同一直線上に並ぶ位置に配置されてもよい。
【００５５】
また、カーソル処理部３４は、線分状かつ両端部を矢印形状に構成した前記範囲カーソルと、その範囲カーソルの両端点のそれぞれの周辺部に、各端点から分離して配置された前記端点カーソルと、を表示してもよい。
【００５６】
さらに本実施形態は、第一操作部を介して、計測範囲の計測が完了した確定モード（範囲カーソルに結果ラベルが連結された表示モード）と計測範囲の変更を行う編集モード（範囲カーソル及び端点カーソルが表示された表示モード）との切り替えが可能であり、このモードの切り替えに連動して、端点カーソルの表示・非表示を行うことができる。
【００５７】
以下、図１０〜図１３を参照して本実施形態を詳述する。まず図１０を用いて端点カーソルの構成について説明する。図１０は、端点カーソルが連結された範囲カーソルの構成を示す説明図であって、（ａ）は、端点カーソルの一例を示し、（ｂ）は、範囲カーソルの両端点に端点カーソルが連結された状態を示す。
【００５８】
端点カーソル８５は、図１０の（ａ）に示すように、端点カーソル８５の位置を変更する際に指示する領域を示す面領域部８５ａと、面領域部８５ａの中心部を基準として面領域部８５ａの外側に向けて突出した突出部８５ｂと、を含む。端点カーソル８５は、突出部８５ｂの先端部８５ｃにおいて、範囲カーソル８１に連結される。面領域部８５ａの形状は、いかなる幾何学形状でもよい。また、突出部８５ｂは、先端部８５ｃの内角θが小さいほど、面領域部８５ａが計測範囲端部の周辺部を覆う領域を小さくすることができ、計測範囲の視認領域を確保しやすくなる。
【００５９】
範囲カーソル８１の両端点のそれぞれに連結する場合には、図１０の（ｂ）に示すように、二つの端点カーソル８５−１、８５−２の中心線Ｌ及び範囲カーソル８１の軸方向が一直線状に並び、かつ各端点カーソル８５−１、８５−２と範囲カーソル８１との連結点を中心とし、各端点カーソル８５−１、８５−２が範囲カーソル８１に対して反対側に位置するように配置する。範囲カーソル８１は、計測対象（例えば血管）を含む被検体領域に設定されるので、上記のように端点カーソル８５−１、８５−２を配置することにより、端点カーソル８５−１、８５−２が、計測対象部位と重なる部分を最小限に抑えることができる。
【００６０】
次に、図１１乃至図１３を用いて端点カーソルを用いて、範囲カーソルを設定し、また、設定後の範囲カーソルの端点の位置を微調整する処理について、説明する。図１１は、端点カーソルを用いた範囲カーソルの入力及び編集処理の流れを示すフローチャートである。図１２は、端点カーソルを用いた範囲カーソルの入力及び編集処理の流れに沿った画面遷移例を示す説明図であって、（ａ）は、ステップＳ２０１の画面表示例を示し、（ｂ）は、ステップＳ２０３の画面表示例を示し、（ｃ）は、ステップＳ２０４の画面表示例を示し、（ｄ）は、ステップＳ２０５の画面表示例を示し、（ｅ）は、ステップＳ２０７の画面表示例を示し、（ｆ）は、ステップＳ２０８の画面表示例を示す。図１３は、端点カーソルを用いて範囲カーソルの端点の位置を変更する処理を示す説明図であって、（ａ）は、変更前の状態を示し、（ｂ）は、変更後の状態を示す。以下の説明では、端点カーソル８５を連結して範囲カーソル８１を表示する態様を「編集モード」といい、結果ラベル８２又は識別ラベル８３を連結して範囲カーソルを表示する態様を「確定モード」という。以下、図１１のステップ順に沿って説明する。
【００６１】
図１１に示す計測処理の開始前に、撮像部１０により被検体を撮像し、画像信号を取得する。画像生成部３１は、画像信号を基に医用画像を生成し、画像記憶部３２に記憶する。このように、医用画像が生成された状態から、以下の各ステップの処理が開始する。
【００６２】
（ステップＳ２０１）
画像選択・表示制御部３３は、計測対象となる医用画像を読み出して、表示部４０の画面上に表示する（Ｓ２０１）。図１２の（ａ）に示す画面１６０ａは、本ステップ終了時の画面表示例を示す。画面１６０ａには、ソフトボタンが表示されるボタン領域６１と、医用画像が表示される画像表示領域６２と、が含まれる。画面１６０ａでは、画像表示領域６２に血管７１が撮像された医用画像７０が表示されている。また、ボタン領域６１には、計測開始を指示入力するための「計測」ボタン６１ａが含まれる。
【００６３】
（ステップＳ２０２）
計測範囲の始点を入力する（Ｓ２０２）。以下、血管７１の血管幅を計測する処理を例に挙げて説明する。操作者は、操作部５０を操作してマウスカーソル８０を計測範囲の始点、すなわち、血管７１のうち、計測対象となる血管幅の一端部に移動し、位置入力操作（例えばクリック動作）を行なう（Ｓ２０２）。
【００６４】
（ステップＳ２０３）
カーソル処理部３４は、図１２の（ｂ）の画面１６０ｂに示すように、マウスカーソル８０の先端に端点カーソル８５−１の先端部を合わせて医用画像７０上に重畳表示する（Ｓ２０３）。このときの端点カーソル８５−１の向きは、初期設定された方向に表示される。画面１６０ｂでは、端点カーソル８５−１の中心線が、画面の左右方向と平行になる向きで表示される。
【００６５】
（ステップＳ２０４）
計測範囲全体の範囲指定を行なう（Ｓ２０４）。操作者が操作部５０を介してマウスカーソル８０の移動を開始すると、カーソル処理部３４は、端点カーソル８５−１を非表示に変更し、かつ、マウスカーソル８０の移動の軌跡を、始点を一端とする線分を用いて表示する。カーソル処理部３４は、この線分を用いて範囲カーソル８１を生成、表示する。操作者は、マウスカーソル８０を計測範囲の終点まで移動させる操作を行なう。図１２の（ｃ）の画面１６０ｃは、本ステップの終了時における画面表示例を示す。
【００６６】
（ステップＳ２０５）
計測範囲の終点を入力すると、計測範囲の計測が行われ、結果ラベルが表示される（Ｓ２０５）。本実施形態では、操作者が、マウスカーソル８０を終点に移動し、終点位置の入力動作（例えば、マウスクリック）を行なうと、計測部３８が範囲カーソル８１で指定された線分の距離を計測する。そして、カーソル処理部３４が、上記距離計測の結果値を含む結果ラベル８２を生成し、範囲カーソル８１の終点に連結して表示する。図１２の（ｄ）の画面１６０ｄは、本ステップの終了時における画面表示例を示す。画面１６０ｄに表示された範囲カーソル８１に結果ラベル８２が連結された状態、すなわち、確定モードで範囲カーソル８１が表示されているが、この確定モードでは、範囲カーソル８１の始点、終点位置の再設定などの編集作業は行なえない。
【００６７】
（ステップＳ２０６）
範囲カーソル８１の始点及び終点が、計測対象領域の端部の位置からずれていると、正確な計測結果が得られない。その場合、範囲カーソル８１の始点又は終点の位置を、再設定する必要が生じる。そこで、操作者が、範囲カーソル８１の始点又は終点位置の再設定の要否を判断し、必要であれば、ステップＳ２０７へ進み、不要であれば処理を終了する。
【００６８】
（ステップＳ２０７）
計測範囲の再設定を行なう範囲カーソルを選択する（Ｓ２０７）。この選択は、例えば、図１２の（ｅ）の画面１６０ｅに示すように、計測範囲の再設定の対象となる範囲カーソル８１にマウスカーソル８０を合わせて選択動作（例えば、マウスクリック）をすることにより行なえる。このマウスによる選択動作は、表示の切替であるとともに機能の切替でもある。
【００６９】
（ステップＳ２０８）
カーソル処理部３４は、範囲カーソル８１を確定モードから編集モードに表示切替を行なう。すなわち、結果ラベル８２を非表示にし、範囲カーソル８１の両端点に端点カーソル８５−１、８５−２を連結して表示する（Ｓ２０８）。図１２の（ｆ）の画面１６０ｆは、編集モードに切り替わった範囲カーソル８１を示す。
【００７０】
（ステップＳ２０９）
端点カーソルが表示されている編集モードでは、操作者が、端点カーソル８５−１又は８５−２の位置を変更し、範囲カーソル８１の端点の位置を変更する（Ｓ２０９）。本ステップの処理を、図１３を用いて説明する。
【００７１】
例えば、図１３の（ａ）では、端点カーソル８５−２の先端部は、血管７１の輪郭線７１ａ上に位置するが、端点カーソル８５−１の先端部は、血管７１内の腔領域７１ｂ内に位置している。そのため、範囲カーソル８１の長さは、血管７１の血管径よりも短く、実際の血管径よりも小さい値が計測されることとなる。
【００７２】
そこで、操作者は、端点カーソル８５−１の面領域部８５ａ―１にマウスカーソル８０を合わせてドラッグし、端点カーソル８５−１の先端部が、血管７１の輪郭線７１ａ上に位置するように移動する。
【００７３】
図１３の（ｂ）は、端点カーソル８５−１の移動後の画面表示例を示す。図１３の（ｂ）では、端点カーソル８５−１、８５−２が、共に血管７１の輪郭線７１ａ上に位置しており、範囲カーソル８１の長さが、血管７１の血管径に一致している。これにより、血管径が正確に計測できる。なお、図１３のように、計測対象部位の外側から計測範囲の端点を指定する範囲カーソルを用いるモードを、「外側計測モード」という。
【００７４】
カーソル処理部３４は、端点カーソル８５−１の位置変更に追従して、各端点カーソル８５−１、８５−２の面領域部８５ａ−１、８５ａ−２の中心線が、範囲カーソル８１と一直線状に並ぶよう、端点カーソル８５−１、８５−２の向きを変更する。
【００７５】
（ステップＳ２１０）（ステップＳ２１１）
範囲カーソルの表示モードを、編集モードから確定モードに変更する（Ｓ２１０）。操作者は、操作部５０を介してモード切替操作（例えば、編集モードの範囲カーソル８１の一部をマウスクリック）を行う。カーソル処理部３４は、端点カーソル８５を非表示にするとともに、計測部３８は、新たに設定された範囲カーソル８１の物理量を計測する。カーソル処理部３４は、その計測結果を含む結果ラベル８２を生成し、表示する。再度、編集モードに変更する必要がある場合には（Ｓ２１１）、ステップＳ２０６に戻る。
【００７６】
編集モードから確定モードへのモード切替は、モード切替操作を操作者が行なう他、カーソル処理部３４が、編集モードの範囲カーソル８１に対する操作が最後に行なわれた時点からの経過時間を計測し、予め定められた所定時間を経過すると、自動的に確定モードに表示切替を行なうように構成しても良い。
【００７７】
本実施形態によれば、端点カーソルを用いることにより、計測範囲の端点の視野を良好に保ちつつ、計測範囲の設定を行なうことができる。また端点カーソルを用いて、範囲カーソルの入力、編集を行なうことにより、範囲カーソルの端点の位置が明瞭になり、計測範囲の設定精度を向上させることができる。なお本実施形態においても、第一実施形態と同様に、確定モード（図１２（ｅ））で表示された結果ラベル８２を、必要に応じて任意の位置に移動させて、結果ラベル８２が連結されていた範囲カーソルの端部に識別ラベルを表示させること、計測箇所が複数ある場合に、複数の結果ラベルを適宜整列したもの或いはラベルボックス内に収納したものを表示させてもよく、またラベルボックスを任意に分割できるように構成してもよい。
【００７８】
＜第三実施形態＞
本実施形態は、計測モードや医用画像撮像装置の撮影の種別に応じた範囲カーソルの形状や付加的なカーソルを追加することが特徴である。計測モードには、例えば管腔や臓器の径を計測する場合に最短距離を計測するモード（最短距離計測モード）、内径を計測するモード（内側計測モード）、外径を計測するモード（外側計測モード）などが含まれる。これら計測モードに適したカーソル形状や新たなカーソルが作成、表示される。計測モードの選択は、操作部を介して受け付けることができる。
【００７９】
具体的には、カーソル処理部３４は、範囲カーソルの各端点に、線分状の範囲カーソルの軸方向に対して垂直なガイド線を付加して表示することができる。
【００８０】
カーソル処理部３４は、範囲カーソルの各端点に、ガイド線を付加する表示モード、又は、前記ガイド線を付加しない表示モードを選択するためのメニューをポップアップ表示してもよい。
【００８１】
また、カーソル処理部３４は、撮像部１０から撮影手技情報を取得し、その撮影手技情報に応じた形状の範囲カーソルを表示してもよい。
【００８２】
以下、図１４〜図１７を参照して本実施形態を詳述する。なお、処理の手順は第一及び第二実施形態と同様であり、以下、異なる点を中心に説明する。図１４は、最短距離計測モードで用いる範囲カーソルの構成を示す説明図である。図１５は、内側計測モードの範囲カーソル及び端点カーソルの構成を示す説明図であって、（ａ）は内側計測モードの端点カーソルの構成例を示し、（ｂ）は、外側計測用モードの範囲カーソル及び端点カーソルを用いた比較例を示す。図１６は、内側計測ラインを用いた最短距離計測モードの範囲カーソルを示す説明図である。図１７は、ポップアップ表示による計測モードの選択動作の一例を示す図である。
【００８３】
図１４に示すように、最短距離計測モードは、編集モードの範囲カーソル８１の両端点のそれぞれに、線状の範囲カーソル８１の軸方向に対して垂直なガイド線Ｈ１、Ｈ２を付加して構成される。最短距離計測用モードで距離計測を行なう場合には、ガイド線Ｈを計測対象の端、図１４では、血管７１の輪郭線７１ａの接線と重なるように合わせることで、計測対象の対岸（最短距離）を正しく設定することができる。
【００８４】
また、図１４に示す例では、計測対象部位の外側から、端点カーソル８５−１、８５−２の先端部を範囲カーソル８１の端点に合わせたが、範囲カーソルに端点指示部を備え、その端点指示部を、範囲カーソルとは別体に構成された端点カーソルを用いて移動してもよい。
【００８５】
端点指示部を備えた範囲カーソルと、端点指示部を移動させるための端点カーソルの例を図１５（ａ）に示す。図１５の（ａ）の範囲カーソル８６は、端点指示部として、両端部に計測範囲の端点を指し示す矢印を備えた内側計測用ラインを用いて構成され、矢印の先端部８６ｃ−１、８６ｃ−２を用いて範囲カーソル８６の端点を指定する。また、範囲カーソル８６の軸方向の延長上には、範囲カーソル８６とは分離して表示された端点カーソル８７−１、８７−２が表示される。端点カーソル８７−１、８７−２にマウスカーソル８０を合わせて移動することにより、当該端点カーソル８７−１、８７−２に相対的に近い位置にある範囲カーソル８６の矢印の先端部８６ｃ−１、８６ｃ−２の位置が変更される。
【００８６】
内側計測用ライン（範囲カーソルの線分）は、計測対象部位の内側から計測範囲の端点を指定する方が望ましい場合に有効である。例えば、血管内壁７１ａにソフトプラーク７２が付着している部位の腔領域７１ｂの径を計測する場合、腔領域７１ｂの外側から端点を指定しようとすると、図１５の（ｂ）に示すように、ソフトプラーク７２に端点カーソル８５−１、８５−２が重なり、最もソフトプラーク７２の厚みがある部位（すなわち、血管が最も狭窄している部位）がどこであるかを視認しにくくなる。このような場合、内側計測ラインと矢印などの端点指示部とを組み合わせることで、ソフトプラーク７２の形状を視認しながら腔領域７１ｂの内側から計測範囲を指定することができ、内側の計測に好適な範囲カーソルを構成することができる。また、図１６に示すように、上記内側計測用ラインを用いた範囲カーソル８６に垂直ガイド線Ｈ１、Ｈ２を付加し、最短距離計測モードにおいても、内側計測が行えるように構成してもよい。なお管腔等の外径を計測する外側計測モードの場合には、図１０、図１３に示すような範囲カーソル８１で対応することができる。
【００８７】
上述した最短距離計測モード、内側計測モード、外側計測モードの切替について、図１７を用いて説明する。図１７は、計測モードの切替処理の例を示す説明図である。操作者が、マウスカーソル８０を用いて端点カーソル８５−１、８５−２の面領域部８５ａ−１、８５ａ−２を長押しすると、カーソル処理部３４は、長押しされた面領域部８５ａ−１、８５ａ−２から、各モードを選択するためのポップアップメニュー１７０を表示する。操作者が、これらのうちの何れかの選択操作を行なうと、カーソル処理部３４は、選択された各モードの範囲カーソルを表示する。例えば、最短距離計測モードが選択された場合には垂直ガイド線が付加された範囲カーソルを表示し、内側計測モードが選択された場合には、端点指示部が付加された範囲カーソルを表示する。またガイド線の表示・非表示についても、ポップアップメニューにおいて選択可能してもよい。
【００８８】
また、各計測モードを、医用画像撮像装置の撮影の種別によって切り替えても良い。具体的には、撮像部１０において撮影手技（撮影種別）が選択されると、カーソル処理部３４が、その撮影手技情報を参照して、選択された手技に適したモードの範囲カーソルを表示するように構成しても良い。例えば、ＤＳＡ撮影（デジタル・サブトラクション・アンギオ撮影）では、血管径の計測に備え、最短距離計測モードの範囲カーソルを初期表示するように構成しても良い。これにより、計測対象部位の形状に応じた範囲カーソルを表示することができる。
【００８９】
本実施形態によれば、外側計測モード、内側計測モード、最短距離計測モードなど、計測対象部位の特徴に応じて適切な端点カーソルや範囲カーソルを提供することができ、これらを用いることで適切に計測範囲の設定が行なえる。また、各モードの選択をポップアップメニューの表示にすることで、モード選択が必要なときにのみ選択メニューを表示させ、モード選択終了後は選択メニューを非表示とすることで、医用画像の表示領域をより広く確保し、視認性を向上することができる。
【００９０】
＜第四実施形態＞
本実施形態は、確定モード（範囲カーソルに結果ラベルが連結された表示モード）と編集モード（範囲カーソル及び端点カーソルが表示された表示モード）とを切替可能な実施形態（第二実施形態）の画像表示装置において、さらに範囲カーソルの端点から所定の領域にある範囲カーソル上の領域を、上記表示モード切替操作の対象として選択することを禁止する選択禁止領域に設定する機能を付加したものである。
【００９１】
第二実施形態では、確定モードから編集モードへの切替動作を、範囲カーソルを選択したマウスクリック等で行うものとしたが、本実施形態では、カーソル処理部３４は、範囲カーソル８１の各端点から所定の領域に選択禁止領域を設定する。この選択禁止領域にマウスカーソル８０を合わせてクリック操作を行なった場合には、その範囲カーソル８１の選択を受け付けず、マウスカーソル８０が選択した位置を新しい範囲カーソル８１の始点として設定する。図１８に基づいて、選択禁止領域について説明する。図１８は、選択禁止領域を示す説明図である。
【００９２】
例えば、角度計測（図９の（ａ）参照）の場合、計測をする上で２つ以上の範囲カーソル８１の端点が近接する乃至重なる場合がある。そのため、第二実施形態では、範囲カーソル８１を選択して編集モードや確定モードへの切替操作を行なったが、範囲カーソル８１の全領域を選択許容範囲とすると、近接した範囲カーソル８１の選択操作に不具合が生じる場合がある。つまり、角度を計測するための新たな範囲カーソルの始点を設定しようとしてもモードが切り替わってしまい、新たな範囲カーソルを設定できない。そこで、範囲カーソル８１の端点から所定の領域を選択禁止領域１８０として設定し、この領域では、範囲カーソル８１の選択操作を受け付けないこととする。そして、選択禁止領域１８０内でマウスクリックなどの操作を受け付けると、カーソル処理部３４は、その操作を新たな範囲カーソルの設定操作と認識し、始点の入力処理を開始する。これにより、不要な操作ミスを回避することが可能になる。また、角度以外の計測方法を行う場合でも、上記選択禁止領域は適用される。
【００９３】
本実施形態によれば、範囲カーソルの端部近傍に選択禁止領域を設けることにより、モード選択動作及び新たな範囲カーソル設定動作を円滑に行うことができる。
【符号の説明】
【００９４】
１：医用画像撮像装置、１０：撮像部、２０：画像表示装置、３０：制御部、３１：画像生成部、３４：カーソル処理部、３５：カーソル情報記憶部、３６：整列部、３７：被検体外領域検出部、３８：計測部４０：表示部、５０：操作部（第一操作部、第二操作部）
【図１】
2014034294.tif 000003
【図２】
2014034294.tif 000004
【図３】
2014034294.tif 000005
【図４】
2014034294.tif 000006
【図５】
2014034294.tif 000007
【図６】
2014034294.tif 000008
【図７】
2014034294.tif 000009
【図８】
2014034294.tif 000010
【図９】
2014034294.tif 000011
【図１０】
2014034294.tif 000012
【図１１】
2014034294.tif 000013
【図１２】
2014034294.tif 000014
【図１３】
2014034294.tif 000015
【図１４】
2014034294.tif 000016
【図１５】
2014034294.tif 000017
【図１６】
2014034294.tif 000018
【図１７】
2014034294.tif 000019
【図１８】
2014034294.tif 000020
【国際調査報告】
2014034294.tif 000021
2014034294.tif 000022
2014034294.tif 000023
2014034294.tif 000024
2014034294.tif 000025
2014034294.tif 000026